(57)【要約】【課題】スイッチの操作部が外部に露出しない構造にして内部への水の浸入を防ぎ、また、滑りを防止してグラスが転倒しないようにする。【解決手段】コースターは、ベース板１と、上面が水平な透光性のカバー２と、ＬＥＤ４０Ｒ，４０Ｇ，４０Ｂ、ＬＥＤ点灯回路、およびＬＥＤ点灯回路をオン、オフするスイッチ４２が実装されたプリント基板４と、弾性材より成る底板３とで構成されている。前記ベース板１の上面は、ＬＥＤを上に向けて前記プリント基板４を収容する基板収容部１０が開口し、ベース板１の下面は、ＬＥＤ点灯回路に電源を供給する電池６を収容する電池収容部１２が開口している。前記ベース板１の上面には前記カバー２が被せられ、前記ベース板１の下面には前記底板３が取外し可能に装着されるとともに、底板３の内面に前記スイッチ４２の操作部を当接させている。【選択図】図２
2006026072.tif 000002
【特許請求の範囲】
【請求項１】
ベース板と、上面が水平な透光性のカバーと、ＬＥＤ、ＬＥＤ点灯回路、およびＬＥＤ点灯回路をオン、オフするスイッチが実装されたプリント基板と、弾性材より成る底板とで構成され、前記ベース板の上面は、ＬＥＤを上に向けて前記プリント基板を収容する基板収容部が開口し、ベース板の下面は、ＬＥＤ点灯回路に電源を供給する電池を収容する電池収容部が開口しており、前記ベース板の上面には前記カバーが被せられ、前記ベース板の下面には前記底板が取外し可能に装着されるとともに、底板の内面に前記スイッチの操作部を当接させて成る敷き板。
【請求項２】
前記基板収容部は、前記スイッチの操作部を下方へ臨ませる貫通孔が形成された底面部を有し、前記底板の内面には前記スイッチの操作部との当接位置に凸部が形成されている請求項１に記載された敷き板。
【請求項３】
前記底板は、前記スイッチの操作部との当接により板面が突き出ており、その突出部分に荷重に応じた上向きの操作力が作用したとき、前記操作部が押操作される請求項１に記載された敷き板。
【請求項４】
前記カバーの上面は、凹凸面に形成されている請求項１に記載された敷き板。
【請求項５】
前記ベース板は、基板収容部の開口縁の周囲に平坦な支持面を備え、前記支持面とカバーの下面との間で図柄が表されたシートが保持されている請求項１に記載された敷き板。
【発明の詳細な説明】
【技術分野】
【０００１】
この発明は、飲料用のグラス、ガラス製の花器や置物などの下に敷かれる敷き板に関し、特にこの発明は、ＬＥＤ（発光ダイオード）が内部に組み込まれた発光機能のある敷き板に関する。
【背景技術】
【０００２】
従来、この種の敷き板として、ＬＥＤが組み込まれたコースターが提案されている。このコースタは、上面にＬＥＤ、下面にスイッチが実装された基板と、基板の上方を覆うケース部と、基板の下面を支持する底蓋部とから成り、ケース部と底蓋部とは基板を中間に挟んで一体化されている（例えば、特許文献１参照）。底蓋部にはスイッチの操作部を下方へ突出させる貫通孔が設けてあり、ケース部上にグラスを置いたとき、その荷重に応じた上向きの反力が操作力としてスイッチの操作部に作用してスイッチをオン動作させ、ＬＥＤ点灯回路を通電させる。
【０００３】
【特許文献１】実開昭６３−１８１３７１号公報
【発明の開示】
【発明が解決しようとする課題】
【０００４】
しかしながら、上記したコースターでは、グラスの表面に付着した水滴が流れ落ちたりグラスの内容物がこぼれたりすると、水がケース部および裏蓋部の各表面を伝って前記貫通孔からコースターの内部に浸入し、ＬＥＤ点灯回路の短絡、ＬＥＤやスイッチの故障や劣化などを招くおそれがある。また、底蓋部は樹脂製であるので、滑りやすく、置かれたグラスを転倒させるおそれもある。
【０００５】
この発明は、上記問題に着目してなされたもので、スイッチの操作部が外部に露出しない構造にして内部への水の浸入を防ぎ、また、滑りを防止してグラスが転倒しないようにした敷き板を提供することを目的とする。
【課題を解決するための手段】
【０００６】
この発明による敷き板は、ベース板と、上面が水平な透光性のカバーと、ＬＥＤ、ＬＥＤ点灯回路、およびＬＥＤ点灯回路をオン、オフするスイッチが実装されたプリント基板と、弾性材より成る底板とで構成されている。前記ベース板の上面は、ＬＥＤを上に向けて前記プリント基板を収容する基板収容部が開口し、ベース板の下面は、ＬＥＤ点灯回路に電源を供給する電池を収容する電池収容部が開口している。前記ベース板の上面には前記カバーが被せられる。前記ベース板の下面には前記底板が取外し可能に装着されるとともに、底板の内面に前記スイッチの操作部を当接させている。
【０００７】
上記した構成の敷き板において、スイッチの操作部に底板の外面より操作力を作用させてＬＥＤ点灯回路を通電させると、ＬＥＤが発光動作し、その光はカバーを通って外部へ出る。カバーの上面にグラスなどが置かれていると、ＬＥＤの光はグラスやグラスに満たされた液体を通過するので、グラスや液体が光り輝く。
グラスの表面に付着した水滴が流れ落ちたりグラスの内容物がこぼれたりしても、スイッチの操作部は外部に露出しない構造になっており、しかも、ベースの下面には弾性材より成る底板が装着されているので、防水性が高められており、水が内部に浸入することがなく、ＬＥＤ点灯回路の短絡、ＬＥＤやスイッチの故障や劣化などを引き起こすことがない。また、底板は弾性材より成るので、荷重がかかってテーブルの上面に面接触した状態では滑りにくく、置かれたグラスを転倒させることもない。
【０００８】
この発明の上記した構成において、「ＬＥＤ」はプリント基板上に少なくとも１個、望ましくは複数個実装されるが、１種類（例えば赤色発光ダイオード）のＬＥＤで構成してもよく、発光色が異なる複数種のＬＥＤで構成してもよい。また、「ＬＥＤ点灯回路」は、全てのＬＥＤを一斉に発光動作させるものであってもよく、順々に発光動作させるものであってもよい。
【０００９】
また、この発明の上記した構成において、「スイッチの操作部」は外部からの操作力をオン、オフ機構に伝達するための部材である。なお、「スイッチ」は、押しボタンスイッチ、リミットスイッチ、タッチスイッチなどを用いることができる。さらに、「電池」は、寿命やコストの面から小型の乾電池を用いるのが望ましいが、これに限られるものではない。
さらにまた、底板を構成する「弾性材」としては、典型的には各種のゴムが用いられるが、独立気泡の発泡体なども用いることができる。
【００１０】
この発明の好ましい一実施態様においては、前記基板収容部は、前記スイッチの操作部を下方へ臨ませる貫通孔が形成された底面部を有し、前記底板の内面には前記スイッチの操作部との当接位置に凸部が形成されている。
この実施態様によると、底板の内面の凸部がスイッチの操作部に当接するので、底板の外面より凸部の辺りに操作力が作用すると、スイッチがオン動作する。
【００１１】
スイッチの操作部は、底板の外面より指先で押されるものであってもよいが、カバーの上面にグラスなどが置かれたとき、荷重に応じた上向きの操作力がスイッチの操作部に作用させるような構成とするのが望ましい。そのための好ましい実施態様においては、前記底板は、前記スイッチの操作部との当接により板面が突き出ており、その突出部分に荷重に応じた上向きの操作力が作用したとき、前記操作部が押操作されるようになっている。
【００１２】
この発明の一実施態様においては、前記カバーの上面は凹凸面に形成されている。この実施態様によると、凹凸面はＬＥＤからの光を拡散させる拡散面として機能し、また、グラスなどが水平面上に置かれたときは、グラスなどの滑りを防ぐ摩擦面として機能する。
【００１３】
この発明の一実施態様においては、前記ベース板は、基板収容部の開口縁の周囲に平坦な支持面を備え、前記支持面とカバーの下面との間で図柄が表されたシートが保持されている。この実施態様によると、ＬＥＤを点灯させないときは、シートの図柄がカバーを通して見え、コースターの意匠を構成する。
【発明の効果】
【００１４】
この発明によると、スイッチの操作部が外部に露出しない構造であり、しかもベース板の下面には弾性材より成る底板が装着されているので、防水性が高められており、内部への水の浸入を防止でき、ＬＥＤ点灯回路の短絡、ＬＥＤやスイッチの故障や劣化などを招くことがない。また、弾性材より成る底板はテーブル上で滑りにくく、置かれたグラスの転倒を防止し得る。
【発明を実施するための最良の形態】
【００１５】
図１〜図３は、この発明の一実施例であるコースターの構成を示すもので、図１は外観を、図２は内部構造を、図３は組立構造を、それぞれ示す。
図示例のコースターは、合成樹脂製のベース板１と、ベース板１上に被せられて固着される透光性を有する合成樹脂製のカバー２と、ベース板１の下面に取外し可能に装着されるゴム製の底板３とで構成されている。
なお、この発明は、図示例のようなコースターに限らず、主としてガラス製の花器や置物の下面に敷かれる敷き板にも適用できる。
【００１６】
前記ベース板１は、上面に開口する平面形状が円形の基板収容部１０を備えたものである。この基板収容部１０の内部には円盤状のプリント基板４が収容されている。このプリント基板４は基板収容部１０の底面部１１上に固定されている。基板収容部１０の上面開口の周縁は水平かつ平坦な支持面１６になっており、その支持面１６上に図柄シート５の外周縁が支持されている。
【００１７】
前記図柄シート５は、図４に示すように、合成樹脂製のフィルムシートにより前記基板収容部１０の支持面１６に対応する八角形状に形成されている。中央部には透明な背景部分５ａ（図示例では夜空の部分）があり、その中に不透明な図柄部分５ｂ（図示例では建物や星座の部分）が表されている。前記背景部分５ａの輪郭は基板収容部１０の上面開口に一致する円形状に設定されている。ベース板１上にカバー２が被せたとき、前記支持面１６とカバー２の下面との間で図柄シート５の外周縁が保持される。
【００１８】
前記プリント基板４には、複数個のＬＥＤ４０Ｒ，４０Ｇ，４０Ｂと、各ＬＥＤを発光させるＬＥＤ点灯回路と、ＬＥＤ点灯回路をオン、オフするスイッチ４２とが実装されている。同図中、４０Ｒは赤色に発光するＬＥＤ、４０Ｇは緑色に発光するＬＥＤ、４０Ｂは青色に発光するＬＥＤであり、プリント基板４の表面の適所に配置されている。ＬＥＤ点灯回路は、図示しないが、プリント基板４の表裏両面に印刷された回路パターン、マイクロコンピュータのチップ部品、抵抗やダイオードなどの素子などで構成されている。この実施例のチップ部品は、赤色、緑色、青色の各ＬＥＤ４０Ｒ，４０Ｇ，４０Ｂが順々に発光しかつ順々に消灯するような動作制御を行う。
【００１９】
前記スイッチ４２はＬＥＤ点灯回路の通電をオン、オフするためのもので、この実施例では、図５に示すように、丸軸状の操作部４３を有するタクトスイッチ（以下、単に「スイッチ」という。）４２が用いてある。このスイッチ４２はプリント基板４に開設された取付孔４１に嵌めてあり、スイッチ４２の操作部４３はプリント基板４の裏面へ突き出ている。前記ベース板１における基板収容部１０の底面部１１には、前記スイッチ４２に対応する位置に貫通孔１７が形成してあり、この貫通孔１７を前記操作部４３が貫通し底面部１１の下面に臨ませている。
【００２０】
前記カバー２は全体が透明または半透明であり、上面はグラスなどを支持するために水平面２１となっている。カバー２の外周縁はベース板１の外周面に嵌められて高周波溶着により一体に接合され、これによりベース板１とカバー２との間からの水の浸入を防止している。前記水平面２１は表面側には凹凸面２２が形成されている。この凹凸面２２はＬＥＤの光を拡散させる拡散面として機能し、また、グラスなどが置かれたとき、グラスなどが滑らないように摩擦面として機能する。さらに、底が平坦なグラスが置かれたとき、グラスの底に付着した水滴によってコースターがクラスに密着して一体に持ち上がるような事態の発生を防止する。さらにまた、底が窪んだグラスが置かれたとき、窪みに閉じ込められた空気の膨張によりグラスが持ち上げられて動くような事態の発生も防止する。
一方、前記水平面２１は裏面側には複数本のリング状の凸条２３が同心円上に形成されている。この凸条２３は光を導入してリング状に光らせるためのものである。
カバー２は、全体が透光性を有している必要はなく、凹凸面２２以外の部分については非透光性であってもよい。
【００２１】
なお、前記図柄シート５の図柄はカバー２を通して見えるが、特にＬＥＤを点灯しないとき、図柄がよく見えるようにするために、プリント基板４の表面を白地としかつ印刷されるパターンも白色に近い色に設定するとよい。また、図柄シート５として種々の図柄のものを用いれば、コースターの種別を自在に増すことができる。
また、この実施例では、ベース板１に被せたカバー２はベース板１に一体接合しているので、ユーザーが図柄シート５を交換することはできないが、プリント基板４が組み込まれた状態のベース板１に透明の内カバーを被せて密封し、その内カバー上に図柄シート５を支持し、その上からカバー２を取り外し可能に被せるように構成すれば、ユーザーにおいて図柄シート５を自由に交換することができる。
【００２２】
前記ベース板１には、基板収容部１０の底面部１１の外周に、下面に開口する電池収容部１２が形成されている。この電池収容部１２は、図６に示すように、乾電池６を１個づつ収容することが可能な合計４個の凹部１３をもって構成されている。各凹部１３の両端には前記ＬＥＤ点灯回路に導通する金属製の電極６１が装備されている。ベース板１の下面の電池収容部１２の外周には周溝１４が形成されている。この周溝１４には底板３の外周縁に形成された立ち上がり壁３１が嵌入され、これによりベース板１の下面全体が底板３により塞がれかつシールされる。前記周溝１４の外周部分はベース板１の底面１８に相当し、ベース板１に底板３が装着されたとき、底板３の下面がベース板１の底面１８と面が一致する。
【００２３】
前記底板３は、比較的柔軟なゴム材により形成されており、ベース板１より取り外すことが可能であり、これにより電池６の交換が可能である。底板３の内面には、図５に示すように、前記スイッチ４２の操作部４３の先端が当接している。また、底板３の内面の前記操作部４３との当接位置には、凸部３０が一体に形成されており、操作部４３が凸部３０に当接することによって、その当接部分に当たる底板３の板面が弾性変形してベース板１の底面１８よりわずかに下方へ突き出る。コースターに荷重Ｐがかかると、突出部分ａに荷重Ｐに応じた上向きの反力が操作力Ｎとして前記操作部４３に作用し、これを押し上げるので、スイッチ４がオン動作する。
【００２４】
上記した構成のコースターをテーブル上に置くと、底板３の板面には突出部分ａが生じているので、コースターは部分的にわずかに浮いた状態でテーブル上に支持される。この状態でカバー２の水平面２１上にグラスを置くと、グラスの荷重Ｐが作用し、突出部分ａに荷重Ｐに応じたよる上向きの操作力Ｎが前記操作部４３に作用するので、スイッチ４がオン動作する。これによりＬＥＤ点灯回路が通電し、ＬＥＤ４０Ｒ，４０Ｇ，４０Ｂが順々に発光動作しかつ順々に消灯動作し、この発光と消灯の各動作が繰り返される。ＬＥＤからの光はカバー２を通って外部へ出るが、このとき光はカバー２の凹凸面２２で拡散される。拡散光の一部はグラスやグラスに満たされた液体を通過するので、コースターだけでなく、グラスやグラスに満たされた液体、さらには液体中の氷なども光り輝くことになる。
【００２５】
グラスの表面に付着した水滴が流れ落ちたりグラスの内容物がこぼれたりしても、スイッチ４の操作部４３は外部に露出しない構造になっており、ベース１の下面はゴム製の底板３で塞がれているので、水が内部に浸入することがなく、ＬＥＤ点灯回路４１の短絡、ＬＥＤ４０Ｒ，４０Ｇ，４０Ｂやスイッチ４の故障や劣化などを引き起こすことがない。また、ゴム製の底板３は、荷重がかかった状態ではテーブル面と面接触するので、ゴムの大きな摩擦係数によってコースターの滑りが防止され、置かれたグラスが転倒することがない。
【００２６】
カバー２の水平面２１よりグラスを取り除くと、荷重が解除されてスイッチ４の操作部４３に操作力が作用しなくなるので、スイッチ４がオフ動作する。これによりＬＥＤ点灯回路への通電が止まり、ＬＥＤ４０Ｒ，４０Ｇ，４０Ｂが消灯する。
【図面の簡単な説明】
【００２７】
【図１】この発明の一実施例であるコースターの平面図である。
【図２】図１のＡ−Ａ線に沿う断面図である。
【図３】コースターの分解斜視図である。
【図４】図柄シートを示す平面図である。
【図５】スイッチの操作部と底板の凸部との当接状態を示す拡大断面である。
【図６】底板の一部を破断して示したコースターの底面図である。
【符号の説明】
【００２８】
１    ベース板
２    カバー
３    底板
４    プリント基板
５    図柄シート
６    電池
１０  基板収容部
１１  底面部
１２  電池収容部
１６  支持面
１７  貫通孔
２２  凹凸面
３０  凸部
４０Ｒ，４０Ｇ，４０Ｂ  ＬＥＤ
４２  スイッチ
４３  操作部
【図１】
2006026072.tif 000003
【図２】
2006026072.tif 000004
【図３】
2006026072.tif 000005
【図４】
2006026072.tif 000006
【図５】
2006026072.tif 000007
【図６】
2006026072.tif 000008